Podtech/llm-jp-corpus-v4-ja_patent huggingface dataset:
(57)【要約】      （修正有）【課題】体の不自由な方、又弱視の方が、自分自身でビンの栓抜き、缶のプルタブ起こし、ペットボトル栓開けを両手若しくは、片手で安心して安全に使用出来る開蓋具の提供。【解決手段】ステンレス鋼板のほぼ中央を１５５度に折り曲げ、ねじ蓋に係合する孔を設け、さらに栓抜き用孔を設ける。また該鋼板の一端にはプルタブ起こしを設ける。取っ手部分には指案内用の大中小の孔を設け、該鋼板の両側縁を折り曲げて指ずれ防止とする。【選択図】図１
2006008242.tif 000002
【特許請求の範囲】
【請求項１】
握力の弱い方、指先の動作が不自由な方、又、弱視の方のビンの栓、缶のプルタブ開け、ペットボトル栓開き等に力をあまり入れず使用出来る器具です。この器具の特徴は、３種の器具の使用を果たすために、ステンレス板を折り曲げ、加工を基本に、手の不自由な方も一般の方も使用出来るユニバーサルデザインとしての特徴を有する器具です。弱視の方には指先の指案内丸穴（大・中・小）３箇所により、力と距離の感覚が分かるように設計し、指先の動作の不自由な方も弱視の方も又、一般の方も安全に使用出来る特徴を有する器具である。
【発明の詳細な説明】
【技術分野】
【０００１】本発明は、板ステンレス角度を１５５度に折り曲げ、テコの原理を利用し、幅広の先端をビンの栓抜き、幅狭の先端を缶のプルタブ起こし、上部の丸型菊１２紋爪を円形状で、ペットボトル栓開け、又折り曲げ中央部ビンの栓抜きとし、手の不自由な方、弱視の方にも使用出来る器具に考え、又ユニバーサルデザインの器具として発明に関するものである。
【背景技術】
【０００２】本発明は、ビンの栓、缶のプルタブ起こし、ペットボトル栓開けを手の不自由な方、弱視の方、又一般の方も使用できるユニバーサル器具としての関するものである。
【特許文献１】
【特許文献２】
【非特許文献１】
【非特許文献２】
【発明の開示】
【発明が解決しようとする課題】
【０００３】缶・ビン、ペットボトル、トップハンドＩＩ−Ｓ（ステンレス製）を使用することによって、体の不自由な方、又弱視の方が自分でビンの栓抜き、缶のプルタブ起こし、ペットボトル栓開けを出来る様、尚且つ、安全に簡単に使える器具です。
【課題を解決するための手段】
【０００４】缶・ビン、ペットボトル、トップハンドＩＩ−Ｓ（ステンレス製）を使用することによって、体の不自由な方、又弱視の方が自分で使用出来るビンの栓抜き、缶のプルタブ起こし、ペットボトル栓開けの問題点を解決します。
【発明の効果】
【発明を実施するための最良の形態】
【０００５】缶・ビン、ペットボトル、トップハンドＩＩ−Ｓ（ステンレス製）は、板ステンレスに１５５度の角度をつけることと、左右の指ずれ板折と３箇所の指案内丸穴（大・中・小）により、手の不自由な方、弱視の方にも安心してビンの栓、缶のプルタブ起こし、ペットボトル栓開けが簡単に且つ安全に使用することが出来ます。
【実施例】
【０００６】以下、添付図面に従って、一実施例を説明する。缶・ビン、ペットボトル、トップハンドＩＩ−Ｓ（ステンレス製）を使用し、ビンの栓抜き、缶のプルタブ起こし、ペットボトル栓開けの関係を示した詳細。
【産業上の利用可能性】
【０００７】缶・ビン、パットボトル、トップハンドＩＩ−Ｓ（ステンレス製）の使用により、体の不自由な人、弱視の方のビンの栓抜き、缶のプルタブ起こし、ペットボトルの栓開けにおいて、この発明はリハビリ、自立等の考えの上にも欠かすことの出来ない器具である。
【図面の簡単な説明】
【０００８】
【図１】缶・ビン、ペットボトル、トップハンドＩＩ−Ｓ（ステンレス製）を示した本体背面図、詳細図である。
【符号の説明】
【０００９】    ２．指ずれ止め板折
３．ビンの栓抜き
４．指案内    丸穴大中小    ３箇所
５．缶のプルタブ起こし
６．ペットボトル栓開け丸型菊１２紋爪
７．キーホルダー穴
【図１】
2006008242.tif 000003
(57)【要約】【課題】お弁当等に使われる使い切り小袋調味料は、１・２種類しか付いていない為、実際に使いたい調味料が入っていない。数種類を持ち歩くと紛失しやすい・各調味料毎に販売されている為、数種類の調味料を必要とする場合は、全商品を使う数以上に別々に購入しなければない為、家庭で作るお弁当に使用するにはコストがかかり実際にはあまり使用されていない等の課題とする。【解決手段】数種類の使い切り調味料を入れる容器又は、袋を作り味の違う使い切り小袋調味料（醤油・ソース・トマトケチャップ  マヨネーズ・ドレッシング等）を入れ一つにする。【選択図】  図２
2006008245.tif 000002
【特許請求の範囲】
【請求項１】
味の違う数種類の使い切り調味料を入れる容器又は、袋である。
【請求項２】
使い切り小袋調味料（醤油・ソース・トマトケチャップ・マヨネーズ・ドレッシング等）の数種類をいれた容器又は、袋に入れたものである。
【請求項３】
味の違う数種類の使い切り調味料を入れる容器又は、袋に入れ一つの商品として製造・販売すること。
【発明の詳細な説明】
【技術分野】
【０００１】この発明は、お弁当等に使われる使い切り小袋調味料（醤油・ソース  トマトケチャップ・マヨネーズ・ドレッシング等）を入れる容器又は、袋の形状に関するものである
【背景技術】
【０００２】従来のお弁当等に使われる使い切り小袋調味料は、違う味毎に販売されている．一般的にお弁当内に入っている小袋調味料は１・２種類しか付いていない。
【発明の開示】
【発明が解決しようとする課題】
【０００３】以上の技術によれば、お弁当に付いている使い切り小袋調味料は、１・２種類が一般的で、実際に使いたい調味料が付いていない場合がある。
数種類を持ち歩くと紛失しやすい・各調味料毎に販売されているので数種類の調味料を必要とする場合は、全商品を使う数以上に別々に購入しなければない為、家庭で作るお弁当に使用するにはコストがかかり実際にはあまり使用されていない等の課題とする
【課題を解決するための手段】
【０００４】以上の課題を解決するために、第一発明は、数種類の使い切り調味料を入れる容器又は、袋である。
又、第二発明は、使い切り小袋調味料（醤油・ソース  トマトケチャップ・マヨネーズ・ドレッシング等）の数種類を第一発明の容器又は、袋に入れたものである。
【発明の効果】
【０００５】第一発明・第二発明によれば、使い切り小袋調味料（醤油・ソース  トマトケチャップ・マヨネーズ・ドレッシング等）が数種類入っているので、使用時に数種類の中から選ぶ事が出来、数種類の味覚を楽しむ事が出来る。一つの容器又は、袋に入っているので、持ち運び時の紛失を防ぎ、不必要な数を単品で購入しなくてすむ為、購入時のコスト削減を可能とする。
【発明を実施するための最良の形態】
【０００６】この発明の一実施形態を図１・図２に示す。収容する容器の素材は、軽量なものを使用する
【実施形態の効果】
【０００７】この実施形態によれば、使用されると思われる少量・少数の使い切り小袋調味料をお弁当等と一緒にもちあるく事が出来又、次に使用する時は、使用した分の使い切り小袋調味料だけを追加補給しておけば、再度、同様に使う事が出来ます。
【図面の簡単な説明】
【０００８】
【図１】使い切り小袋調味料（醤油・ソース・トマトケチャップ・マヨネーズ・ドレッシング等）
【図２】使い切り小袋調味料を収容した図
【符号の説明】
Ａ  使い切り醤油  Ｂ  使い切りソース
Ｃ  使い切りトマトケチャップ
Ｄ  使いきりマヨネーズ  Ｅ  使いきりドレッシング
Ｆ  使い切り小袋調味料収納容器
【図１】
2006008245.tif 000003
【図２】
2006008245.tif 000004
(57)【要約】【課題】移動する物体に壊れやすい・崩れやすい・こぼれやすい・固定できないなどの積載物を運搬する際は加速度・減速度・方向変化などに気を使い、積載移動そのものがやりにくいものだった。【解決手段】この積載物安定装置を移動する物体に３を７もしくは５で固定し、その上２に積載物をのせて運搬することにより、移動そのものに働く慣性力に対反する姿勢を積載物自身が取れるので走行移動中も原則的に静止状態とほぼ同様の状態（水平方向の慣性力のかかり具合）が保たれる。【選択図】図１
2006008240.tif 000002
【特許請求の範囲】
【請求項１】
液体などの流動体の慣性力移動にともなう密閉チューブ内での体積変化を利用した積載物安定装置
【請求項２】
チューブはパイプ状の物の両端同士をくっつけた車輪形状（リング状）で密閉されていることを特徴とする請求項１記載の積載物安定装置
【請求項３】
ゴム・ビニール・又はそれに類似するしなやかな素材で出来たチューブをリング形状にし、チューブ容積の約半分の液体又はジェル状の流動体を満たし、密封する。積載する物体が水平移動の開始・停止・又は速度変化・方向の変化・旋回などに発生する慣性力に対反して傾斜をつけることにより安定させる請求項１記載及び請求項２記載の積載物安定装置
【発明の詳細な説明】
【技術分野】
【０００１】この発明は、移動する物体に積載が必要な場合に積載物を移動に伴う慣性力から装置の姿勢で安定させる事に関する。
【背景技術】
【０００２】  積載物を乗せる台の下に図１に示すようにリング形状のチューブがおかれている。リング状円形チューブはしなやかな素材で内部の流動体の変形に対して同様に変形するので、慣性力が働く水平方向のどの方向に対しても流動体の移動がスムーズに行われ、密封されているのでその方向の体積が増加し対反する方向の体積が減少するので慣性力に対抗する傾斜が付き装置の上の積載物が慣性力に影響されにくくなる。
【発明の開示】
【発明が解決しようとする課題】
【０００３】しかしながら、以上の技術によれば、移動する物体に積載が必要な場合、積載物が壊れやすい物や積載に伴う固定の出来ないものの場合に積載物を移動に伴う慣性力から装置の姿勢で安定させる事で運搬が容易に行える。
そこで、この発明は、慣性力に対抗する傾斜が付き装置の上の積載物が慣性力に影響されにくくなる積載安定装置を提供することを課題とする。
【課題を解決するための手段】
【０００４】  以上の課題を解決するために、第一発明は慣性力に対反して傾斜をつけることにより安定させることを特徴とする積載物安定装置である。
また第二発明は、ゴム・ビニール・又はそれに類似する素材で出来たチューブをリング形状にし、チューブ容積の約半分の液体又はジェル状の流動体を満たし、密封することを特徴とする積載物安定装置である。
【発明の効果】
【０００５】  第一発明、または第二発明によれば、積載物に働く自然の作用である慣性力を同じくリング状チューブ内の流動体に働く自然の作用である慣性力で同じ作用が働くことを利用して、相反する効果を持たせたことで積載物に働く慣性力での影響を軽減させた。
【発明を実施するための最良の形態】
【０００６】  この発明の実施形態を、図１及び図２に示す。
３はリング状円形チューブでしなやかな素材で内部８の流動体の変形に対して同様に変形するもので、慣性力が働く水平方向のどの方向に対しても流動体の移動がスムーズに行われる。また、４の流動体注入口で、密封されているのでその方向の体積が増加し対反する方向の体積が減少する。この積載物安定装置は移動する物体と５は水平方向にすべりが無い構造であり、かつ積載物との接地面２も積載物安定装置の傾斜することに対してすべりが生じない構造であること。
６は３と１との間ですべりが生じない様に、７は３と５がすべりを生じない様な構造である。【０００７】「実施形態の効果」
この実施形態によれば、原理的に積載物の重量に左右される事なく傾斜作動はスムーズにおこなえる。リング形状の中心を支点としての動作になるので作動そのものは水平方向に障害物があっても接触さえしていなければ問題ない。静止状態では積載物の重心とリング形状の中心が一致すれば積載物は水平状態を保つことができる。【０００８】「他の実施形態」
図１の実施形態では、リング状チューブ３は、他の実施形態では、リング状以外の形状であっても良い。
【図面の簡単な説明】
【０００９】
【図１】この発明の一実施形態を示す斜視図である。
【図２】従来技術を示すＡ−Ｂ間での断面図である。
【符号の説明】
【００１０】１  天板            ２  天面        ３  安定装置本体
４  注入口          ５  底面        ６  滑り止め部材ａ
７  滑り止め部材ｂ  ８  流動体
【図１】
2006008240.tif 000003
【図２】
2006008240.tif 000004
(57)【要約】【課題】  自動車、重機、電車、船舶等のウインドウパネルに使用される従来のワイパー機構は扇形の軌跡に動作するため窓面全体の１０％−２０％にふき残しが生じる。【解決手段】  ウインドウパネルの窓枠周辺部に動力に接続したワイヤーを装着し、そのワイヤーと伸縮可能なワイパーブレードを連動させてふき取り動作を行うようにした。これによりワイパーの動作の軌跡を左右への伸縮運動をしながら平行に移動するものとしウインドウパネルのほぼ全面をふき取れるようにした。また二つ以上のワイパーブレードあるいはそれを支えるものを直線方向にスライドするように組み合わせておたがいをスプリングで接続し、張力が加わることによりワイパーブレードがスライド伸縮できるようにした。【選択図】図１
2006008093.tif 000002
【特許請求の範囲】
【請求項１】
自動車、重機、電車、船舶等のウインドウパネルの窓枠周辺部に動力につなげたワイヤーをプーリーやベアリング等のガイドを経て窓枠周辺部で往復運動できるように装着する。そのワイヤーと伸縮するワイパーブレードを結合し、ワイヤーが動くことによりワイパーブレードがウインドウパネル上を平行移動しつつ、かつその左右方向にも伸縮することを特徴とするワイパー装置。
【請求項２】
二つ以上のワイパーブレードあるいはそれを支持するものを直線方向にスライドするように組み合わせてスプリングで接続し、その接続されたワイパーブレードに張力が加わることによりワイパーブレードが左右にスライド伸縮することを特徴とするワイパーブレード。
【発明の詳細な説明】
【技術分野】
【０００１】  この発明は、自動車、重機、電車、船舶等のウインドウパネルに使用されるワイパーに関する。
【背景技術】
【０００２】  従来のワイパー装置は扇形の軌跡に動作するためウインドウパネルの１０％−２０％にふき残しが生じる。またこの問題を解決するために全面ふき取り型のワイパー装置のアイデアは、公開平５−２６２２０５、公開平７−１１２６５５、公開平１１−３１０１１２、公開２００２−２４０６８６、のように今までいくつか発案された。
【発明の開示】
【発明が解決しようとする課題】
【０００３】  しかしながら技術的な問題や信頼性の不足などの理由によりそれらのワイパー装置は実用化に至っていない。そこでこの発明は、ウインドウパネルの全面をふき取ることを可能とし、かつ機械構造の信頼性が高い新型のワイパー装置を提供することを課題とする。
【課題を解決するための手段】
【０００４】  以上の課題を解決するために、第一発明はウインドウパネルの窓枠周辺部に動力につなげたワイヤーをプーリーやベアリング等のガイドを経て窓枠周辺部で往復運動できるように装着し、そのワイヤーと伸縮するワイパーブレードを結合してワイヤーが動くことによりワイパーブレードがウインドウパネル上を平行移動しつつ、かつ左右方向にも伸縮することを特徴とするワイパー装置である。【０００５】  また、第二発明は二つ以上のワイパーブレードあるいはそれを支持するものを直線方向にスライドするように組み合わせてスプリングで接続し、その接続されたワイパーブレードの左右に張力が加わることによりスライド伸縮することを特徴とするワイパーブレードである。
【発明の効果】
【０００６】  ウインドウパネルのほぼ全面をふき取ることができる。機械構造も今まで発明された全面型ワイパー装置に比べて単純ですむため装置の信頼性も高まる。
【発明を実施するための最良の形態】
【０００７】  図１はこの発明の一実施例を示す図である。
動力５に接続した左右一体あるいは個別のワイヤー６を、ウインドウパネル２の両脇に装備したガイドプーリー１を経由してループ上に装着し、そのワイヤーに伸縮ワイパー４を取り付けて縦方向への往復運動と左右方向への伸縮運動を可能とした。また伸縮ワイパーの両脇に補助スライダー３を取り付けることにより、ワイパーゴムがウインドウパネルを押す圧力を一定に保ち、かつふき取り面に対して常に垂直の角度を維持するようにした。【０００８】  また第二発明である伸縮ワイパーブレードの一実施例を、図５と図６に示す。
この形態は太めのワイパーブレード１１（両脇）の間に細めのワイパーブレード１２（中心）を組みこんでそれぞれがスライドできるようにしておたがいをスプリングで接続したものである。これにより横方向に張力が加わった際に引き戻す力が働く構造とした。【０００９】「実施形態の効果」
この実施形態によればウインドウパネルのほぼ全面をふき取ることができる。【００１０】「他の実施形態」
第一発明の特徴はウインドウパネルの窓枠周辺部にワイヤーを装着し、それと伸縮ワイパーブレードを連動させて動かす点にある。これによるワイヤーの接続方法や使用するワイヤーの本数、あるいはワイヤーの動力の数は図１の形態に限定されず無数に考えられる。またワイパーの動作方向もウインドウパネルに対して縦方向のみならず横方向への運動をするようにすることも可能である。図２、図３、図４はそれらの実施形態の一例である。【００１１】  また第二発明である複数のワイパーブレードあるいはそれを支えるものをスプリングで接続し、直線方向にスライド伸縮することを特徴とするワイパーであるが、これも図７のように太枠、細枠の位置関係を組替えた形態も可能である。また図８に示すとおり、二つのワイパーブレードのみを組み合わせる形態も可能であり、また四つ以上のワイパーブレードを組み合わせる形態も同様にして可能である。
【図面の簡単な説明】
【００１２】
【図１】第一発明の一実施形態を示す図である。
【図２】第一発明の他の実施形態の一例を示す図である。
【図３】第一発明の他の実施形態の一例を示す図である。
【図４】第一発明の他の実施形態の一例を示す図である。
【図５】第二発明の一実施形態を示す図である。
【図６】第二発明の一実施形態の断面を示す図である。
【図７】第二発明の他の実施形態の一例を示す図である。
【図８】第二発明の他の実施形態の一例を示す図である。
【符号の説明】
【００１３】  １  ガイドプーリー              ２  ウインドウパネル
３  補助スライダー              ４  伸縮ワイパーブレード
５  ワイヤーの動力              ６  ワイヤー
７  スプリング                  ８  太−細−太形式のブレード
９  細−太−細形式のブレード    １０  太−細形式のブレード
１１  太めのブレード            １２  細めのブレード
１３  ワイパーコム
【図１】
2006008093.tif 000003
【図２】
2006008093.tif 000004
【図３】
2006008093.tif 000005
【図４】
2006008093.tif 000006
【図５】
2006008093.tif 000007
【図６】
2006008093.tif 000008
【図７】
2006008093.tif 000009
【図８】
2006008093.tif 000010
(57)【要約】      （修正有）【課題】水上・水中居住空間へのアクセスの手段を提供する。【解決手段】自動車に形状変化材質変化を加え、アルミホイル部位に着脱可能な水進プロペラを付け、水上を走ることが出来る水陸両用車とする。【選択図】図１
2006008095.tif 000002
【特許請求の範囲】
【請求項１】
私は水上・水中住空間の発明者である。そのアクセスの１つとして、この発明（水陸両用車）を考えた。
確かに映画００７シリーズで水陸両用車は登上するのでこのアイデア自体は既在する。
しかし、一般に市販されている例は無いものと思われる。
私の発明は最も実現可能性の高いものであり、水上を自動車が走るという水陸両用車を全て私の特許の範囲とする。
【発明の詳細な説明】
【技術分野】
【０００１】本発明は自動車にやや形状変化材質変化を加え、アルミホイル部位に着脱可能な水進プロペラを付け、水上を走ることが出来る水陸両用車である。
〔背景技術〕【０００２】自動車・四輪駆動【０００３】ガソリンエンジン、ハイブリットカー、電気自動車【０００４】ガルウィング式ドア【０００５】サーフィンの素材、その浮力性【０００６】般舶の舟底形状【０００７】アルミニウム【０００８】セラミック【０００９】透明硬式プラスチック【００１０】ナビゲーションシステム【００１１】カーボン素材【００１２】シリコーンゴム【００１３】太陽光発電地
〔発明が解決しようとする課題〕【００１４】出来得るならば自然に優しい電気自動車が望ましいがコストを考えると、普及に時間を要すると思う。それらが国家の補助金等により早く普及できるかどうか。
あと水難に合った時にどうするか。
〔課題を解決する為の手段〕【００１５】電気自動車の普及については国家に一国民として訴えたい。
水難に対してはライフセーブジャケットの着用、防水性を備えた携帯電話機の携行、浮き輪の登載等で対応すれば良いと考える。
〔発明を実施するための最良の形態〕【００１６】最良は電気自動車である。上に太陽電気発電パネルを乗せる。形はハッチバックが良い。後ろの上の部分にエンジンを登載し、ボディーは上半分をホンダのＮＳＸの様にアルミニウムとする。ドアはガルウィングである。下半分はサーフボードの素材を用い底を舟型にする。アルミホイルにネジ穴があり水上を走る時はそこにセラミック製の水進プロペラを取り付ける。
ナビゲーションシステム、浮き輪、ライフセーブジャケットもオプションで付ける。
窓は硬質プラスチックが望ましい。
【図面の簡単な説明】
【００１７】
【図１】図１の中で水陸両用車の横からと後ろからの外観をまた水進プロペラを載せた。ガソリンエンジン、ハイブリットエンジンも想定して排気口の部位も付け加えた。
【図１】
2006008095.tif 000003
(57)【要約】【課題】  レール上を走行する台車の脱線を防止するレール走行台車の脱線防止装置を提供する。【解決手段】本発明におけるレール走行台車の脱線防止装置には、レール４を支持している鋼柱６に、浮止め軌条９Ａ，９Ｂのどちらかをレール４に沿って敷設してある。走行する台車には浮止め車輪１０Ａ，１０Ｂが浮止め軌条９Ａ，９Ｂのどちらかに対応させて浮上がりを防ぐ様に固定されていることを特徴とする。【選択図】    図１
2006008087.tif 000002
【特許請求の範囲】
【請求項１】
レール上を走行する台車が地震等の外部振動により、台車の車輪がレール上から浮上って脱線するのを防止する為に、レールの取付架台に浮上がりを防ぐための浮止め軌条のレールに沿って、上方か下方のどちらかに設置することを特徴とするレール走行台車の脱線防止装置。
【請求項２】
前記のレールに沿って設置された浮止め軌条に対応して、浮止め車輪を走行台車に装着して脱線を防ぐことを特徴とするレール走行台車の脱線防止装置。
【発明の詳細な説明】
【発明の詳細な説明】
【技術分野】
【０００１】  本発明は、レール走行台車が浮上がって、脱線する事を防止する事に係り、走行台車が稼動中に地震等の外部振動により、走行台車の車輪がレールから浮上がるのを防ぐ事を可能にしたレール走行台車の脱線防止装置に関する。
【背景技術】
【０００２】  従来からは、振動検知器等で設定加速度値以上の振動が発生した場合に走行台車の元電源を切断するくらいで、まだ殆ど脱線防止装置が設置されないまま稼動されているのが現状である。
【発明が解決しようとする課題】
【０００３】  しかしながら、実際走行台車が稼動中に外部振動等で走行台車の車輪が浮上がってレールから外れて脱線する事故は度々起こっているのが現状である。
【０００４】  本発明は前記のような問題点を解決するためになされたもので，レール走行台車が稼動中に外部振動等によりレール走行台車の車輪がレールから浮上がって脱線につながる大きな原因になっていた。
【０００５】  本発明は前記のような問題点を解決するためになされたもので、レール走行台車のレールに沿って浮止め軌条を、又走行台車に浮止め車輪を装着する事で、レール走行台車が外部振動等が作動しても関係なく稼動できるレール走行台車の脱線防止装置を提供することを目的とする。
【課題を解決するための手段】
【０００６】本発明の請求工１におけるレール走行台車の脱線防止装置は、走行台車の両端に敷設されているレールに平行して、左右に浮止め軌条を上下どちらかに設置することを特徴とする装置である・
【０００７】  本発明の請求項２におけるレール走行台車の脱線防止装置は、両側の走行台車に取り付けられている浮止め車輪により脱線を防止をする事を特徴とする装置である。
【作用】
【０００８】  本発明においては左右に敷設してある台車のレールに沿って浮止め軌条を設置し、走行台車の車輪がレールから浮上がろうとすると浮止め車輪が押圧するように取付けられているので、レール走行台車がレールから外れて脱線する事はない
【実施例】
【０００９】  以下、本発明の実施例について図面を参照しながら詳細に説明する。
図１は本発明のレール走行台車の脱線防止装置を天井クレーンに応用して該天井クレーンの走行部の下側に設置した実施例の説明図である。
図２は前記のレール走行台車の脱線防止装置を天井クレーンの上側に設置した場合の説明図である。【００１０】  ここで１は主桁、２は走行車輪、３は走行車輪２を主桁１に取付けるための溝型鋼、４はレール、５はレール４を取り付ける基台、６は天井クレーンの走行路を支持するために設けられた鋼柱、７はレール４を基台５と共に鋼柱６に固定するための支持金具、８は浮止め軌条９Ａを鋼柱６に連結するための吊下げ金具、９Ａ，９Ｂはそれどれ浮上がりを防止するための浮止め軌条、１０Ａ，１０Ｂは浮止め車輪、１１は浮止め車輪１０Ｂを主桁１に結合させる締結金具、１２は浮止め車輪１０Ａを結合させる固定金具である。【００１１】  本実施例は、天上クレーンの主桁１の左右両端にそれどれ走行車輪２が溝型鋼３と共に左右に装着されて、左右のレール上に載せられている。さらに、主桁１が移動する為のレール４は基台５の上に支持金具７を介して鋼柱６に取付けられている。以上のように構成された天井クレーンにおいて、主桁１がレール４上を移動している途中で、地震や外部振動等が作用した場合、走行車輪２は該走行車輪２に付設されている溝の深さ以上に浮上がると、レール４上から外れて脱線する。【００１２】  本発明は、前記のような現象が起きても、走行車輪２に付設されている溝の深さ以下に浮上がりを抑えるように浮止め車輪１０Ａ，１０Ｂのどちらかを主桁１の両端にある走行車輪２の上下どちらか片方に取付ける。さらに浮止め車輪１０Ａ、１０Ｂにそれどれ対応して浮止め軌条９Ａ，９Ｂを、走行車輪２の溝の深さ以下の隙間で敷設する。
【発明の効果】
【００１３】  以上説明したように、本発明のレール走行台車の脱線防止装置は以下の効果を発揮する。レール走行台車が運転中に地震等外部からの振動によって、レール走行台車がレールから外れて脱線する事はない。
【図面の簡単な説明】
【００１４】
【図１】  本発明のレール走行台車を天井クレーンに応用した場合において、浮止め車輪を主桁の左右両方にある走行部の内の左側下方に設置した時の立面断面図である。
【図２】  本発明の前記レール走行台車を天井クレーンに応用した場合において、浮止め車輪を主桁の左右両方にある内の左側上方に設置した場合の立面断面図である。
【符号の説明】
【００１５】１  主桁              ２  走行車輪            ３  溝型鋼
４  レール            ５  基  台              ６  鋼柱
７  支持金具          ８  吊下げ金具          ９Ａ，９Ｂ  浮止め軌条
１０Ａ，１０Ｂ  浮止め車輪  １１  締結金具    １２  固定金具
【図１】
2006008087.tif 000003
【図２】
2006008087.tif 000004
(57)【要約】【課題】従来は車の両側鏡は平面だった。したがって、不便だった。それに複数の角度を与えることによって便利な死角を補う角度をつけた両側鏡を提供する。【解決手段】両側鏡（１）の上下および左右の全部又は一部に、従来の鏡では確認できなかった死角を補う角度（２）をつけたことを特徴とする。【選択図】  図１
2006008090.tif 000002
【特許請求の範囲】
【請求項１】
車の両側鏡に死角を補う角度をつけた鏡。
【発明の詳細な説明】
【技術分野】
【０００１】この発明は、車の両側鏡に死角を補う角度をつけた鏡に関するものである。
【背景技術】
【０００２】従来、車の両側鏡は平面になっていた。
【発明の開示】
【発明が解決しようとする課題】
【０００３】  これはつぎの様な問題点があった。
安全確認を行う際に、死角が生じ、十分かつ迅速な安全確認を行うことができなかった。
本発明は、以上のような欠点をなくすためになされたものである。
【課題を解決するための手段】
【０００４】  車の両側鏡に死角を補う角度をつける。
以上の構成からなる角度をつけた鏡である。
【発明の効果】
【０００５】  鏡に角度がついているので、従来のものより広範囲を確認することができ、死角への安全性をより確保することができる。
両側の死角をなくすことにより、後方を確認する手間がはぶけ、その結果、前方から目を離す時間が短くなり、前方への安全性がより確保される。
【発明を実施するための最良の形態】
【０００６】  以下、本発明の実施例について説明する。
両側鏡（１）の上下および左右の全部又は一部に、従来の鏡では確認できなかった死角を補う角度（２）をつける。
角度のつけ方は、数枚の鏡を使用するか、曲面をつけてもいい。
本発明は、以上のような構造でこれを使用するときは、死角を補う角度をつけた鏡で、素早くかつ確実に、後方の安全確認を行えばいい。
【図面の簡単な説明】
【０００７】
【図１】    本発明の斜視図である。
【図２】    本発明の正面図である。
【符合の説明】
【０００８】  １両側鏡
２角度をつけた鏡、又は、その部分
【図１】
2006008090.tif 000003
【図２】
2006008090.tif 000004
(57)【要約】      （修正有）【課題】法面の修復工事が容易なブロック工法の用材の提供。【解決手段】コンクリートはその成分のほとんどが石灰であり、木材片と同様に高温で焼成することにより炭化凝縮し、空洞が出来て、多孔質な素焼きの陶磁製法面擁護ブロックを製造出来る。【効果】ブロックの裏面に入った土石流は水分のみを表面から流し出して壁面は安定する。乾燥した裏込め土は周辺の土とよく同化して植物の蘇生を促し大地の一部となる。【選択図】図１
2006008489.tif 000002
【特許請求の範囲】
【請求項１】
粘土にコンクリート塊、瓦屑、煉瓦屑、陶磁器片及び木材チップを混ぜ合わせて焼成するとコンクリート塊と木材は酸化加熱により、凝縮炭化し内部に空洞ができ、多孔質な素焼きの陶磁製法面擁護ブロックを製造することが出来るものである。
【発明の詳細な説明】
【技術分野】
【０００１】  本発明は法面の修復工事が容易なブロック工法の用材に関するものである。
【背景技術】
【０００２】  自然災害による土砂崩れは水分の大変多く含んだ土石流を周辺に押し流し、これの復旧はこの土石を取り省きその現場を乾燥させて、土台部分を固めてから新たにコンクリートの現場打ち工法等を実施しなければならなかった。【０００３】  しかし、現場の復旧は連続する降雨により晴天の日を待って工事を実施しなければならず天候により遅延するばかりであった。
降雨中でも実施できる材料として、床盤の不自由さを克服し積み上げてゆくものが必要であり、コンクリート等のように養生期間の必要でないもの、又、流れ出る泥流を安定剤として裏込めし、余分な水分のみを発散させてしまう軽石のようなものが必要であった。そこで、粘土を利用して骨材を混入し、焼成してこれにあてるものである。
【発明の開示】
【発明が解決しようとする課題】
【０００４】  この改善策としてコンクリートを用いず、多孔質な陶磁製焼成ブロックを積み上げていくことで、余分な水分のみ発散させ、土石はブロックの裏面で食い止め、乾燥してくるし、周辺の立木により一定の含水量が保て安定した斜面はこれにより、早期に周辺地土壌と同化し易く復旧させるものである。
【発明を解決するための手段】
【０００５】  問題点はこのブロックが水分を適宜発散させることが必要な事であり適当な重量により安定するものである。
【発明の効果】
【０００６】  本発明は水が自由に透過できる物件でなければならず、多孔質で一部目づまりを起こしても、他の方向へ水流を常時発散できるものでならないから、粘土に混ぜる骨材としてコンクリート塊、陶磁器片、瓦、煉瓦等を４０ｍｍ以下に破砕したものと木材チップを３０ｍｍ以下に裁断したもの、及び粘土を真空状態で練り合わせ、成型し、乾燥させて、８００度〜１０００度程度で焼成するものを特徴とする。他の混入せしめる陶磁片等はブロックそのものの強度を保つため骨材とする目的である。
【発明を実施するための最良の状態】
【０００７】  本発明は自然と同化し易い物により、草木が寄生しやすく崩壊し易い土壌の擁護等にも、長い年月に渡り使用できるものでありコンクリート壁のように石灰質のような植物と相反するものでなく、年数を経て、土地の一部として大地を守ることが出来るものである。
【図面の簡単な説明】
【図１】  法面擁護ブロックの斜視図である。▲１▼は上段に積み重ねするブロックのずれ込み防止の突起部分である。▲２▼は下段に押さえたブロックのずれ防止突起部分である。
【図２】  法面擁護ブロックの使用説明である。
【図３】  作業工程順序図である。
【図１】
2006008489.tif 000003
【図２】
2006008489.tif 000004
【図３】
2006008489.tif 000005
(57)【要約】      （修正有）【課題】水分含量の高い牛糞、生ごみ等の廃棄物を安定して炭化できる処理装置を提供する。【解決手段】牛糞等がホッパーより乾燥筒に導入され、スクリュウ羽３の回転により押し出され、燃焼バーナー４の熱風があたり、細かいスクリュウ羽３により攪拌され、直接熱と間接熱により乾燥され炭化される。燃焼バーナー４は、火力調整が出来、スクリュウ羽３の回転モータも調整可能であり、乾燥度合いを自由にする事が出来る炭化炉。【選択図】図１
2006008424.tif 000002
【特許請求の範囲】
【請求項１】
牛糞、生ごみ等の水分の多いものを廃棄物の肥料等に再利用に寄与する処理装置。
【請求項２】
スクリュウ軸に水を通す事により、軸の変形を阻止する構造。
【請求項３】
バーナー、スクリュウをインバーターにする事により、任意の乾燥度合いを得ることができる。
【発明の詳細な説明】
【技術分野】
【０００１】
本発明は、牛糞、鶏糞、豚糞、生ごみ等の水分の多い物を炭化処理し、廃棄物を肥料等の再利用に寄与する処理装置に関すものである。
【背景技術】
【０００２】
従来、牛糞等は水分が８０％〜９０％有り炭化処理は非常に困難でした。炭化炉は、従来、内燃式と外燃式とに大別され、内燃式は、直接過熱されるので乾燥は速いが炭化物が燃焼炉に付着し、排出する事が困難になる。一方、外燃式は、乾燥に時間が掛かりコストも非常に掛かる欠点が有った。
【発明の開示】
【発明が解決しようとする課題】
【０００３】
本発明は、上述した従来の問題点を解決しようと、内燃式と外燃式とを融合し、安定して炭化する事が出来る炭化炉を提供するために考案されたものである。
【課題を解決するための手段】
【０００４】
本発明は、牛糞等が、ホッパーより乾燥筒に導かれ、スクリュウ羽により押し出され、燃焼バーナーの熱風があたり、細かいスクリュウ羽により攪拌され、直接熱と間接熱により乾燥され炭化される。燃焼バーナーは、火力調整が出来、スクリュウ羽の回転モータも調整可能にする為、乾燥度合いを自由にする事が出来る構造による炭化炉である。
【発明の効果】
【０００５】
上述の如く、本発明は、牛糞等の水分の多い物を、内燃式と外燃式の融合により、連続的に牛糞等の炭化することができ、燃焼コストを削減し、安定して炭化焼却する事が出来る構造になり、他に類を見ない。よつて、本発明の構成は新規であり、その利用による効果は大きい。
【発明を実施するための最良の形態】
【０００６】
発明を実施するための最良の形態を実施例にもとづき図面を参照して説明する。
図１、投入口（ホッパー）より牛糞等が入り、３スクリュウ羽の回転により押し出され、細かいスクリュウ羽により攪拌され乾燥し、炭化牛糞となり排出される。１１臭気吸収口から熱風循環ファンを通り７熱風口より燃焼室に戻され減臭される。６熱風取り出し口から５熱風循環ファンを通り、１２熱風口に送られ乾燥を促進される。燃焼炉は、９セラミックスで出来ている為高温にも耐えられ安定した燃焼ができる。
スクリュウ軸が高温になる為、変形防止策で冷却水１を流す。出口８では、温水に成る為、温水を利用できる。又、スクリュウ軸回転用モーターは、インバーターを採用し、バーナーモーターもインバーターを採用する事により、任意の炭化度合いに調整する事が出来る。尚、図２は、スクリュウ拡大図である。
【産業上の利用可能性】
【０００７】
本発明は、近年、環境汚染、公害問題等になっている牛糞等を炭化する事により、軽量化でき、保存、運搬が容易になり、肥料としても再利用でき、利用用途は計り知れない。
【図面の簡単な説明】
【０００８】
【図１】牛糞等、炭化処理機の立面断面図である。
【図２】牛糞等、炭化処理機の拡大断面図である。
【符号の説明】
【０００９】
１  冷却水
２  スクリュウ回転用インバーターモーター
３  スクリュウ
４  インバーターバーナー
５  熱風循環モーター
６  熱風取り出し口
７  熱風出口
８  温水出口
９  セラミックス
１０  排気口
１１  臭気口
１２  熱風口
【図１】
2006008424.tif 000003
【図２】
2006008424.tif 000004
(57)【要約】【課題】ノート、紙等の記述物に付属して使用する塵箱で、他の机にも簡単に運べて使用できる邪魔にならない記述用塵箱を提供することである。【解決手段】台形と三角形の空洞を有す三角柱（１０）を作り、それの台形空洞に、同形状で空洞に内接し軽く抜き差しできる傾斜側を開口した三角柱（１０）の高さと、同寸法幅の台形箱（１１）を内蔵して、台形空洞の内側へ板ばね（１２）を装着した、軽量でコンパクトな携帯できることを特徴とする記述用塵箱である。【選択図】  図３
2006008407.tif 000002
【特許請求の範囲】
【請求項１】
台形と三角形の空洞を有す三角柱（１０）を作り、それの台形空洞に、同形状で空洞に内接し軽く抜き差しできる傾斜側を開口した三角柱（１０）の高さと、同寸法幅の台形箱（１１）を内蔵して、台形空洞の内側へ板ばね（１２）を装着した。軽量でコンパクトな、携帯できることを特徴とする記述用塵箱である。
【発明の詳細な説明】
【技術分野】
【０００１】本発明は、机上で記述に使用する、記述用塵箱に関するものである。
【背景技術】
【０００２】従来、ノート、紙等の記述物に付属して使用する塵箱はなかった。
【発明の開示】
【発明が解決しようとする課題】
【０００３】そのために次のような問題があった。（イ）消しゴムの消しカス掃除が煩わしかった。（ロ）机上から床へも散乱して、汚れの拡散放置が多かった。（ハ）子供は勉強机があっても、食卓やコタツの上面テーブル等、母親の近くを好み、汚し場所は広範囲であった。（ニ）絨毯を消しカスで汚すと、とても面倒であった。本発明は、これらの問題点を解決するためになされたものでる。
【課題を解決するための手段】
【０００４】台形と三角形の空洞を有す三角柱（１０）を作る。それの台形空洞に、同形状で空洞に内接し軽く抜き差しできる傾斜側を開口した三角柱（１０）の高さと、同寸法幅の台形箱（１１）を内蔵して、台形空洞の内側へ板ばね（１２）を装着した。軽量でコンパクトにし、携帯できるようにした。以上の構成による、記述用塵箱である。
【発明の効果】
【０００５】本発明品を使用することで、消しカスの散乱防止ができ、煩わしい掃除も解消できた。なお、本発明品使用により記述面に傾斜がつくことで、以下の効果も得られた。目と記述位置による視野補正と、二の腕と肘から先のなす角度補正ができ、前のめりに姿勢をくずす構成を解消できた。よい姿勢で記述できるようになり、不要な首、肩への負担による疲れから解放され、疲れによる学習力、学習意欲の低下防止、頭痛防止と視力低下の要因も縮減できた。芯先が見易くなり、書き易くなった。
【発明を実施するための最良の形態】
【０００６】台形と三角形の空洞を有す三角柱（１０）を作る。その台形空洞に、同形状で空洞に内接し軽く抜き差しでき、傾斜側を開口した三角柱（１０）の高さと、同寸法幅の台形箱（１１）を内蔵し、台形空洞の内側へ板ばね（１２）を装着して、台形箱（１１）の位置保持をさせ、軽量でコンパクトにし、携帯できるようにした。本発明は以上の構成で、これを使用するときは傾斜面（１３）を上に向け、鋭角部を手前にして水平机上面へ置き、その上へ記述物を載せて使用する。台形箱（１１）の側面左右どちらかを押し対面を引き出し、記述物上の消しカスを、台形箱（１１）内へ直接払い落として散乱防止できる。材料は、合成樹脂とした。本発明の実施例として合成樹脂を用いたが、木、合板、クラフト、それらの混合等でもよい。また図４に示すように、台形箱（１１）にベルト逃がしの溝を設け三角柱（１０）の前端部、左右両端へ滑りカラー（１５）を心金（１４）で保持し、左ベルト（１６）は台形箱（１１）の接合点Ｒ（１９）と、滑りカラー（１５）の外周を回ってツマミ（１８）と接合右ベルト（１７）は台形箱（１１）の接合点Ｌ（２０）と滑りカラー（１５）の外周を回りツマミ（１８）と接合、ツマミ（１８）は三角柱（１０）の高さの中心で接合し、このツマミ（１８）を左右に動かして台形箱（１１）の出し入れができるようにしてもよい。
【図面の簡単な説明】
【０００７】
【図１】本発明の平面図である。
【図２】本発明の側面図である。
【図３】本発明の台形箱（１１）を引き出した斜視図である。
【図４】本発明の他の実施を示す平面図である。
【図５】図４の側面拡大図である。
【符号の説明】
【０００８】１０  三角柱１１  台形箱１２  板ばね１３  傾斜面１４  心金１５  滑りカラー１６  左ベルト１７  右ベルト１８  ツマミ１９  接合点Ｒ２０  接合点Ｌ
【図１】
2006008407.tif 000003
【図２】
2006008407.tif 000004
【図３】
2006008407.tif 000005
【図４】
2006008407.tif 000006
【図５】
2006008407.tif 000007
(57)【要約】【課題】両指の爪先にてはがしていた細かく、わづらわしいラベルシールの裏紙はがしを簡単にできるようにしたラベルシールはがし器具を提供する。【解決手段】  台座（１）に粘着ゴム（２）、バネ（４）を設け、上部に粘着テープ（３）を設けたことを特徴とする。【選択図】    図１
2006008405.tif 000002
【特許請求の範囲】
【請求項１】
（イ）台座（１）に粘着ゴム（２）、バネ（４）を設ける。
（ロ）また上部に粘着テープ（３）を取り付ける。
以上の構成よりなるラベルシールはがし器具。
【発明の詳細な説明】
【発明の詳細な説明】
【技術分野】
【０００１】  この発明は、台座に粘着ゴム、バネ、上部に粘着テープを取り付けたラベルシールはがし器具に関するものである。
【背景技術】
【０００２】  両指の爪先にて、ラベルシールの先端をこじあけ、裏紙を１枚１枚、取り除いていた。
【発明が解決しようとする課題】
【０００３】    これはつぎのような欠点があった。
両指の爪先にて、ラベルシールの先端をこじあけるため、多量になると、手先が痛くなり、わづらわしさと細かい作業のためとても疲れました。
本発明は、以上のような欠点を補うためになされたものである。
【課題を解決するための手段】
【０００４】  台座（１）に粘着ゴム（２）、バネ（４）を設け、また上部に粘着テープ（３）を取り付ける。
本発明は、以上の構成よりなるラベルシールはがし器具である。
【発明を実施するための最良の形態】
【０００５】    以下、本発明の実施の形態について説明する。
台座（１）に粘着ゴム（２）、バネ（４）を設け、また上部に粘着テープ（３）を取り付ける。
本発明は、以上のような構造でこれを使用するときは、ラベルシール（５）を粘着ゴム（２）の上に置き、上部の粘着テープ（３）部分を押さえ込む。
そうすると次のような要領で、ラベルシールの裏紙を取ることが出来る。
ラベルシール（５）の先端を粘着ゴム（２）と上部粘着テープ（３）との接点部分に置き、上部粘着テープ（３）部分を押さえ込むと、台座（１）に取り付けたバネ（４）の力でラベルシール（５）をシール部と裏紙とにはがし分けることができる。
【発明の効果】
【０００６】  操作自体が簡単なため、どのような大きさのラベルシールにも対応でき多量の場合も疲れなく、器具自体も小さいため、どのような場所にも携帯できるので、輸送と保管が便利である。
【図面の簡単な説明】
【図１】  本発明の断面図である。
【図２】  本発明の斜視図である。
【符号の説明】
１    台座
２    粘着ゴム
３    粘着テープ（表面が粘着式）
４    バネ
５    ラベルシール
【図１】
2006008405.tif 000003
【図２】
2006008405.tif 000004
(57)【要約】【課題】  本発明は、化粧品成分の皮膚への浸透を良くし、化粧の有効的な効果の十分に発揮できる化粧品を提供しようとするものであると同時に、従来の製造方法や医薬部外品承認の内容成分を一切変更せずに化粧品成分が皮膚に早く浸透し、素肌美人作りの効果を上げる有効な方法を提供し、然も還元水は超微小のため体の細胞レベルまで早く浸透し、体の内面から改善効果が期待でき、然も抗酸化力が高いから保存性にも優れているものを提供するものである。【解決手段】  ヒアルロン酸、アミノ酸、コラーゲン等の化粧品成分に、プラチナメッキを施した電極板からプラチナナオコロイドを溶出する電気分解装置を用いて出来た電気分解還元水を混合してなる化粧品。【選択図】  なし【特許請求の範囲】
【請求項１】
ヒアルロン酸、アミノ酸、コラーゲン等の化粧品成分に、プラチナメッキを施した電極板からプラチナナオコロイドを溶出する電気分解装置を用いて出来た電気分解還元水を混合してなる化粧品。
【発明の詳細な説明】
【技術分野】
【０００１】
本発明は、クレンジングジェル、ローション、ホワイトエッセンス、エッセンス等の化粧品に関する。
【背景技術】
【０００２】
従来クレンジングジェル、ローション、ホワイトエッセンス、エッセンス等の化粧品はヒアルロン酸、アミノ酸、コラーゲン、植物エキス等の化粧品成分に、蒸留水、水道水、海洋深層水などの通常の「水」を使用している。
【０００３】
然しこれらの化粧品は化粧品成分の皮膚への浸透が悪く、化粧の有効的な効果を十分にあげることができない。
【発明の開示】
【発明が解決しようとする課題】
【０００４】
そこで本発明は、化粧品成分の皮膚への浸透を良くし、化粧の有効的な効果の十分に発揮できる化粧品を提供しようとするものであると同時に、従来の製造方法や医薬部外品承認の内容成分を一切変更せずに化粧品成分が皮膚に早く浸透し、素肌美人作りの効果を上げる有効な方法を提供し、然も還元水は超微小のため体の細胞レベルまで早く浸透し、体の内面から改善効果が期待でき、然も抗酸化力が高いから保存性にも優れているものを提供するものである。
【課題を解決するための手段】
【０００５】
本発明は、ヒアルロン酸、アミノ酸、コラーゲン等の化粧品成分に、プラチナメッキを施した電極板からプラチナナオコロイドを溶出する電気分解装置を用いて出来た電気分解還元水を「水」として混合した化粧品である。
【発明の効果】
【０００６】
本発明は、ヒアルロン酸、アミノ酸、コラーゲン等の化粧品成分に、プラチナメッキを施した電極板からプラチナナオコロイドを溶出する電気分解装置を用いて出来た電気分解還元水を「水」として混合しているので、その還元水は水道水に比べ1/6〜1/8程度クラスター（水分子の大きさ）が小さく、皮膚浸透が早く、化粧品成分による効果が早く上がる。
【０００７】
又電気分解還元水の中に出来たプラチナナオコロイドに付着する活性水素は抗酸化力に優れ、超微小のため体の細胞レベルまで早く浸透し、体の内面から改善効果が期待でき、然も抗酸化力が高いから保存性にも優れている。
【０００８】
本発明の電気分解還元水を得るための電気分解装置の電極板は、プラチナメッキが施されており、陰極槽の電極板から0.5〜1.0ナノメートル（１ナノメートル＝１／１０億）単位のプラチナ金属コロイドを放出し、このプラチナ金属コロイドに0.1ナノメートル単位の原子状水素（活性水素）が付着滞留し、この活性水素が活性酸素と反応し中和することで活性酸素を消去出来るものと考えられ、これらによって上記のような浸透性、保存性の効果が発揮できるものと考えられる。
【０００９】
又カタラーゼ活性、ＳＯＤ活性、ヒドロキシルラジカル（活性酸素）消去活性を持つことが証明されており、プラチナ金属コロイドに付着した活性水素は活性酸素と触れ中和し水になり、無害で大変優れた抗酸化物資である。
【実施例１】
【００１０】
具体的な製造工程は以下の通りである。
１、水道水を日本トリム（株）製造の「Ｈ−１」に注入する（この「Ｈ−１」の電気分解装置の電極板は、プラチナメッキが施されており、陰極槽の電極板から0.5〜1.0ナノメートル（１ナノメートル＝１／１０億）単位のプラチナ金属コロイドを放出し、このプラチナ金属コロイドに0.1ナノメートル単位の原子状水素（活性水素）が付着滞留するものである。）。
２、上記「Ｈ−１」の電気分解装置に注入された水道水は中空糸膜浄水カートリッジで浄水（塩素の除去・トリハラメタン除去・鉛等金属片除去）され、電気分解装置で  還元水（陰極槽に出来るアルカリ水）となり還元水放出口から出水し、還元水を作る。
３、それ以後の製造工程は、
イオン交換装置（ＰＨ調整）→ＵＶ殺菌→成分注入→攪拌→ボトル充填→ボトル閉栓
(57)【要約】      （修正有）【課題】アイデアを出すクスリを提供する。【解決手段】精神安定剤を服用後３時間して、ニコチンガム、コーヒー、緑茶の助けを借りて、神径細胞を活性化し、ひらめきをうながし、アイデアを出すクスリ。【選択図】図１
2006008647.tif 000002
【特許請求の範囲】
【請求項１】
精神安定剤服用３時間後にニコチンガム、コーヒー、緑茶の服用で、その直後にアイデア練習のクセを出させて、アイデアの出るクスリを形成するものである。
【発明の詳細な説明】
【技術分野】
【０００１】  本発明は、精神安定剤服用後、ニコチンガムをかみ、アイデア練習をするプロセス・ポイントを経てアイデアを出すクスリ。
〔背景技術〕【０００２】従来、頭をよくするクスリがあった。
〔発明の開示〕
〔発明が解決しようとする課題〕【０００３】そのために、次のような問題点があった。
（イ）一律的に脳神径の精神的なものに作用させるのが大変難しかった。
（ロ）一つのクスリでは、一定の方向しか定まらない。
本発明はこれらの問題点を解決するためになされたものである。
〔課題を解決するための手段〕【０００４】精神安定剤の
ウィンタミン細粒  Ｃ１７Ｈ１９Ｃｌ・Ｎ２Ｓ・ＨＣｌ  ８０ｍｇ
セレネース細粒    Ｃ２１Ｈ２３ＣｌＳＦＮＯ            ４ｍｇ
アーテン散          Ｃ２０Ｈ３１ＮＯＨＣｌ・ＣｌＳＦＮＯ２  ６ｍｇ
ピレチア細粒        Ｃ３４Ｈ４０Ｎ４Ｓ２Ｃ１２Ｈ１５Ｏ６  ８０ｍｇ
クロフェクトン細粒  Ｃ２８Ｈ３７ＣｌＮ４ＯＨＣｌ・Ｈ２Ｏ  ５０ｍｇ
を服用後、３時間後にニコチンガム又はニコチンパッチ貼符又はコーヒー、緑茶の飲んでアイデア練習のポイント・プロセスを行う。
アイデア練習（ニコチンガム飲用のとき行う）
テーマ
（Ａ）といろいろ面白い犬をつくれるか？
（例答，ピンク色の毛の犬）
（Ｂ）死なない生命体をどうつくるか？
（例答，ベニクラゲ）（図３）
（Ｃ）女子用ショルダーバッグの新しいカタチ
（図４）
（Ｄ）面白い話をつくる（例答：フルチンで背泳ぎ。
：トナリのおしっこで負けたことがない。
これらの構成で、アイデアの出るクスリを形成する。きわめて安全である。
〔発明の効果〕【０００５】精神安定剤（コダワリをすてさせ、リラックス状態にする）の服用後、３時間してニコチンガム、コーヒー、緑茶、ニコチンパッチを作用させてアイデア練習してクセを体験して、アイデアをひらめくようにする、きわめて安全である。
私は３０余年服用しているが、アイデア１５０を拠出している（発明）。
〔発明を実施するための最良の形態〕【０００６】以下、本発明の形態について説明する。
（イ）精神安定剤の服用
ウィンタミン細粒    Ｃ１７Ｈ１９Ｃｌ・Ｎ２Ｓ・ＨＣｌ          ８０ｍｇ
セレネース細粒      Ｃ２１Ｈ２３ＣｌＳＦＮＯ                    ４ｍｇ
アーテン散          Ｃ２０Ｈ３１ＮＯ・ＨＣｌ・ＣｌＳＦＮＯ２    ６ｍｇ
ピレチア細粒        Ｃ３４Ｈ４０Ｎ４Ｓ２Ｃ１２Ｈ１５Ｏ６      ８０ｍｇ
クロフェクトン細粒  Ｃ２８Ｈ３７ＣｌＮ４ＯＨＣｌ・Ｈ２Ｏ      ５０ｍｇ
（ロ）３時間後
ニコチンガム（禁煙用）、ニコチンパッチ又はコーヒー、緑茶を服用する。
すると、脳の神径細胞のポケットにニコチンが入って、活性化しアイデアがひらめく。カフェインでもよい。
（ハ）アイデア形成のプロセス・ポイントを一拠に行う。
没頭期
何日も考え続け、克服しようとする。
潜伏期
意識的に考えてもどうにもならないところまできた。
啓示期（ひらめき）
サイクリングしたり、ひげをそったりした関係ないときに重要なアイデアが閃く。
証明期
ひらめきに基いてアイデアを完成、確認させる。
これらの構成でアイデアを出す。
〔実施例１〕【０００７】図１に示すように、神径細胞（１）のポケット（２）にニコチン（３）が入って、アセチルコリンのホルモンが出て活性化させて、ひらめきを出す構成である。そのとき、ニコチンガム、コーヒー、緑茶（カフェイン）でたたけば、アイデア練習をするクセをつけて、アイデアをひらめくことができる。
発明のアイデアが出るときは、丁度、メロディを唄いたくなるとき、メロディが出てくると同じようなモノです。すぐさま絵にすればよい。
右脳のα波検出は光トポグラフィではかれる。
夜の服用は睡眠のための中毒にならないようにさけた方がよい。
つまり、アイデアの出るクスリ（※精神安定剤）
｜
アイデア練習
｜
クセを体験してつかむ
【図面の簡単な説明】
【０００８】〔図１〕脳神径細胞の拡大図
〔図２〕光トポグラフィ
〔図３〕ベニクラゲの一生
〔図４〕ショルダー・バッグの新しいカタチの例、
【符号の説明】
【０００９】１  脳神径細胞
２  脳神径細胞のポケット
３  ニコチン
【図１】
2006008647.tif 000003
【図２】
2006008647.tif 000004
【図３】
2006008647.tif 000005
【図４】
2006008647.tif 000006